(57)【要約】【課題】造花の美観を損ねることなく、華やかな装飾効果を得ることができ、どのような場所にも容易に設置することができる弔事用電飾造花を提供する。【解決手段】花弁状に形成された複数の花弁部材１１を有する花弁部２と、花芯部に雌しべを模して配設される発光部３と、発光部３に電力を供給するための電源を内蔵する電源ユニット４と、を備え、花弁部２は、発光部３を覆い隠すように形成され、発光部３は、時間の経過と共にその発光色を変化させるＬＥＤ１００からなることとしたから、造花の美観を損ねることなく、十分な装飾効果を得ることができ、どのような場所にも容易に設置することができる弔事用電飾造花１を得ることができる。【選択図】図２
0003123841.tif 000002
【実用新案登録請求の範囲】
【請求項１】
花弁状に形成された複数の花弁部材を有し、花芯部に開口部が設けられた花弁部と、
前記花芯部に雌しべを模して配設される発光部と、
前記発光部に電力を供給するための電源が接続された電源ユニットと、を備え、
前記花弁部は、前記発光部を覆い隠すように形成され、
前記発光部は、時間の経過と共にその発光色を変化させるＬＥＤからなること特徴とする弔事用電飾造花。
【請求項２】
前記花弁部には、一部が切欠されている切欠部が形成され、葉っぱを模した葉部材が取り付けられおり、
前記電源ユニットには、その上面に電源スイッチが配設されており、
前記切欠部と前記電源スイッチとが同位置になるように前記花弁部と前記電源ユニットとが取り付けられていることを特徴とする請求項１記載の弔事用電飾造花。
【考案の詳細な説明】
【技術分野】
【０００１】
本考案は、設置が容易で華やかな装飾効果を得ることができる弔事用電飾造花に関する。
【背景技術】
【０００２】
従来、慰霊祭や葬祭等においては、伝統的に白色や紫色を基調とした生花や造花が飾られる。白色や紫色を基調とした花で飾られた祭壇等は、品格があり、厳粛な雰囲気を醸し出す一方、全体が暗い雰囲気になってしまうものであった。
【０００３】
近年は、明るく華やかな雰囲気で故人を送り出したいという遺族も多く、伝統にとらわれない自由な形の葬儀をとり行う人が増えている。そのような葬儀では、祭壇等には数多くの生花や造花で色とりどりの装飾が施され、華やかさや豪華さを演出している。
【０００４】
しかし、生花や一般の造花で豪華な装飾を施すためには大量の花を使用する必要があり、遺族の費用負担が重いものとなってしまう。そこで、大量の花を使用せずとも華やかな装飾効果を発揮することができるものとして、造花の中心に発光部を配した造花装飾装置の考案が開示されている（例えば特許文献１：登録実用新案第３０４２８６６号公報参照）。特許文献１に記載の造花装飾装置によれば、発光部の発光が花弁部材を透過することにより、造花自体が間接光を放つので、大量の花を使用せずとも装飾効果を発揮することができ、装飾にかかる費用を軽減することができる。
【０００５】
また、造花に変光ランプを埋め込み、この変光ランプが時間に応じて発光色を変化させることにより、造花の花が時間と共に変化する光を放散する造花カラーライトの発明が開示されている（例えば特許文献２：特開２００１−６４８１６号公報参照）。
【考案の開示】
【考案が解決しようとする課題】
【０００６】
しかしながら、特許文献1に記載の造花装飾装置では、発光部の電球による発光は一定のものでしかないため、発光が単調なものとなり、発光に変化を与えるには、花弁部材の色彩にバリエーションを持たせて様々な色彩の間接光を得たり、電球の周囲に散光体を設置して散光体によって光を散乱させたり、といった方法を取らなければならない。
【０００７】
一方、特許文献2に記載の造花カラーライトでは、造花と一体に埋め込まれた変光ランプは、造花の開いた花弁の中心に配設されているため、造花の雌しべの位置にランプが直接視認されることとなり、また、造花に接続された導体は、茎に沿ってテープ部材で外装されるため、茎全体がテープ部材で覆われることとなる。造花の雌しべの位置に見られるランプや、テープ部材で覆われた茎は、造花の美観を損ねるばかりか、一見して明らかに作り物であると認識させる外観を形成し、このような造花は、葬儀の装飾として似つかわしいものとは言い難い。
【０００８】
さらに、上述の造花装飾装置、及び、造花カラーライトのいずれも、電力を供給するための配線を要するため、造花設置の際に配線の取り回しが必要となり、設置場所が限られる上に、設置作業が煩雑となるという問題がある。
【０００９】
本考案は、以上の点に鑑みてなされたものであり、その目的は、造花の美観を損ねることなく、十分な装飾効果を得ることができ、どのような場所にも容易に設置することができる弔事用電飾造花を提供することにある。
【課題を解決するための手段】
【００１０】
以上のような課題を解決するために、本考案は、以下のものを提供する。
【００１１】
（１）  花弁状に形成された複数の花弁部材を有し、花芯部に開口部が設けられた花弁部と、前記花芯部に雌しべを模して配設される発光部と、前記発光部に電力を供給するための電源が接続された電源ユニットと、を備え、前記花弁部は、前記発光部を覆い隠すように形成され、前記発光部は、時間の経過と共にその発光色を変化させるＬＥＤからなること特徴とする弔事用電飾造花。
【００１２】
本考案によれば、花弁状に形成された複数の花弁部材を有し、花芯部に開口部が設けられた花弁部と、花芯部に雌しべを模して配設される発光部と、発光部に電力を供給するための電源を内蔵する電源ユニットと、を備え、花弁部は、発光部を覆い隠すように形成され、発光部は、時間の経過と共にその発光色を変化させるＬＥＤからなることとしたから、造花の美観を損ねることなく、十分な装飾効果を得ることができ、どのような場所にも容易に設置することができる弔事用電飾造花を得ることができる。
【００１３】
すなわち、本考案にかかる弔事用電飾造花は、花弁状に形成された複数の花弁部材の花芯部に開口部を設けることにより、その開口部に雌しべを模した発光部（ＬＥＤ）を配設することができる。花弁部材をＬＥＤを覆い隠すように形成し、例えば、花弁部材の角度を自由に調整できるようにすることで、花芯部が外部から視認できないようにすることにより、雌しべ部分にＬＥＤが配設されていることは認識されず、造花の美観を損ねることがない。
【００１４】
花弁部材には、布や合成繊維等の、光を一部透過させることができる素材が用いられる。造花の花芯部から光が漏れ出すことにより、華やかで幻想的な印象を与えることができる。
【００１５】
発光部は、時間の経過と共にその発光色を変化させるＬＥＤからなり、上述したように、造花の花芯部に雌しべを模して配される。ＬＥＤが時間の経過と共に異なる色彩で発光することにより、より豪華な装飾効果を得ることができる。
【００１６】
また、本考案にかかる弔事用電飾造花には、発光部に接続され、電力を供給するための電源を内蔵する電源ユニットが備えられる。このことにより、電力供給のための配線が不要となるため、設置の際に配線の取り回しを考慮する必要がなく、容易に設置することができる。また、外部からの電源供給を必要としないため、設置場所が限定されず、どのような場所であっても設置することが可能となる。
【００１７】
（２）  前記花弁部には、一部が切欠されている切欠部が形成され、葉っぱを模した葉部材が取り付けられおり、前記電源ユニットには、その上面に電源スイッチが配設されており、前記切欠部と前記電源スイッチとが同位置になるように前記花弁部と前記電源ユニットとが取り付けられていることを特徴とする弔事用電飾造花。
【００１８】
本考案によれば、切欠部と電源スイッチとが同位置になるように花弁部と電源ユニットとが取り付けられていることとしたから、花弁部に隠れた電源スイッチの位置を容易に把握することができるので、電源の切り入りに戸惑うことなく、簡単な取扱いが可能となる。
【考案の効果】
【００１９】
以上説明したように、本考案にかかる弔事用電飾造花は、ＬＥＤからなる発光部が、時間の経過と共にその発光色を変化させることにより、華やかな装飾効果を得ることができる。また、発光部を複数の花弁部材で覆い隠すため、造花の美観を損ねることがない。さらに、電源を内蔵する電源ユニットを備えることにより、どのような場所にも容易に設置することができる。
【考案を実施するための最良の形態】
【００２０】
以下、本考案を実施するための最良の形態について、図面に基づいて説明する。
【００２１】
図１は、本考案の実施の形態にかかる弔事用電飾造花１の斜視図であり、図２は、本考案の実施の形態にかかる弔事用電飾造花１を分解した様子を示す分解斜視図である。また、図３は、本考案の実施の形態にかかる弔事用電飾造花１の平面図であり、図４は断面模式図である。
【００２２】
図１〜図４において、弔事用電飾造花１は、主に、花弁部２と、発光部３と、電源ユニット４と、から構成されている。
【００２３】
花弁部２は、複数の花弁部材１１から形成されており、その下部には葉部材１２が備えられている。花弁部２の花芯部には開口部１７が設けられ、この開口部１７に発光部３が配設される。複数の花弁部材１１は、布や合成繊維等の、光を一部透過させる素材からなっており、各々が内側に湾曲するようにして幾重に重ねられ、発光部３を覆い隠すように形成されている。
【００２４】
なお、花弁部材１１のうち発光部３に近接する花弁部材には、花弁に針金等の細い金属部材が取り付けられている。これにより、花弁部材の角度（開閉）を調節することができ、発光部３を完全に覆い隠したり、隙間を作ったりすることができる。
【００２５】
発光部３は、時間の経過と共にその発光色を変化させるＬＥＤからなり、電源ユニット４の上面に接続されている。
【００２６】
図５は、本考案の実施の形態にかかる弔事用電飾造花１に用いられるＬＥＤ１００の構造を説明するための説明図である。ここで、図５（ｂ）は図５（ａ）のＸ部分を拡大した図である。
【００２７】
図５に示すＬＥＤ１００は、リードフレーム１１６上に、赤（Ｒ）のＬＥＤ用の電極１１１、緑（Ｇ）のＬＥＤ用の電極１１２、青（Ｂ）のＬＥＤ用の電極１１３が設けられ、それぞれの電極に、ＲのＬＥＤチップ１０１、ＧのＬＥＤチップ１０２、ＢのＬＥＤチップ１０３が固定されている。他方のリードフレーム１１７上には、共通電極１１４が設けられ、ＬＥＤチップ１０１，１０２，１０３は、ワイヤー１１５によってそれぞれ共通電極１１４に接続されている。
【００２８】
電源ユニット４は、ユニット本体１３と、蓋１４と、から構成されており、ユニット本体１３の内部には電池１６が収められている。ユニット本体１３の上面には発光部３が接続され、電源スイッチ１５が配設されている。また、電源ユニット４は、花弁部２よりもひとまわり小さく、電源ユニット４に花弁部２を載置したときに、花弁部２に隠れる大きさになっている（図１参照）。なお、電源ユニット４の上面と花弁部２の下面の双方には、マジックテープ（登録商標）が設けられており、容易に電源ユニット４と花弁部２を着脱することができる。また、葉部材１２が一部が切欠されており、切欠部に電源スイッチ１５がくるように電源ユニット４と花弁部２の位置を調整することで、花弁部２に隠れた電源スイッチ１５の位置を容易に把握することができる。
【００２９】
本考案にかかる弔事用電飾造花１を使用する際には、まず、電源ユニット４のユニット本体１３の内部に電池１６を設置し、蓋１４を閉める。次いで、電源ユニット４の上に、花弁部２を載置する。このとき、電源ユニット４に接続された発光部３が、花弁部２の花芯部に設けられた開口部１７内に収まるように載置する。
【００３０】
次いで、電源スイッチ１５を操作して電源をＯＮにすると、発光部３のＬＥＤ１００に電力が供給され、発光が開始される。
【００３１】
発光を停止する際には、電源スイッチ１５をＯＦＦにして、電力の供給を中止し、発光を停止させる。
【００３２】
図６は、ＬＥＤ１００の各々のＬＥＤチップに電力を供給するタイミングを示すタイミングチャートである。
【００３３】
電源をＯＮにすると、まず、ＲのＬＥＤチップ１０１に電力が供給されて、ＲのＬＥＤチップ１０１が発光し、赤色の光が放出される。時間ｔ１が過ぎると、ＲのＬＥＤチップ１０１への電力供給が停止されるのと同時に、ＧのＬＥＤチップ１０２に電力が供給されて、ＧのＬＥＤチップ１０２が発光し、時間ｔ２の間、緑色の光が放出される。同様に、時間ｔ３ではＢのＬＥＤチップ１０３が発光して青色の光が、時間ｔ４ではＲのＬＥＤチップ１０１とＧのＬＥＤチップ１０２とが同時に発光して黄色の光が、時間ｔ５ではＧのＬＥＤチップ１０２とＢのＬＥＤチップ１０３とが同時に発光して青緑色の光が、時間ｔ６ではＲのＬＥＤチップ１０１とＢのＬＥＤチップ１０３とが同時に発光して紫色の光が、時間ｔ７ではＲのＬＥＤチップ１０１、ＧのＬＥＤチップ１０２、ＢのＬＥＤチップ１０３が全て同時に発光して白色の光が、それぞれ放出される。
【００３４】
ここで、時間ｔ１、ｔ２、ｔ３において、それぞれ赤色、緑色、青色の１色のみを発光するときは、各々のＬＥＤチップには、時間ｔ４〜ｔ７において２色及び３色を発光するときよりも多くの電力が供給される。すなわち、時間ｔ１〜ｔ３では、時間ｔ４〜ｔ７で供給される電力（図６のＯＮ１）の２倍程度の電力（図６のＯＮ２）が供給され、このことにより、時間ｔ１〜ｔ７の全ての期間で、発光の強さが同程度になる。なお、時間ｔ１乃至ｔ７の単位時間としては２秒〜５秒と比較的ゆっくりとした時間が弔事用としては好ましい。
【００３５】
このようにして、ＬＥＤ１００は、一定時間ごとに赤色→緑色→青色→黄色→青緑色→紫色→白色の７色に変化し、時間ｔ７が過ぎると、再び時間ｔ１に戻って、赤色の光が放出される。
【００３６】
以上説明したように、本実施の形態にかかる弔事用電飾造花によれば、時間の経過と共に発光色が７色に変化するＬＥＤを備えることにより、華やかな装飾効果を得ることができる。また、発光部を複数の花弁部材で覆い隠すため、造花の美観を損ねることがない。さらに、電源を内蔵する電源ユニットを備えることにより、どのような場所にも容易に設置することができる。
【産業上の利用可能性】
【００３７】
本考案に係る弔事用電飾造花は、美観を損ねることなく華やかな装飾効果を得ることができ、どのような場所にも容易に設置することができるものとして有用である。
【図面の簡単な説明】
【００３８】
【図１】本考案の実施の形態にかかる弔事用電飾造花１の斜視図である。
【図２】本考案の実施の形態にかかる弔事用電飾造花１を分解した様子を示す分解斜視図である。
【図３】本考案の実施の形態にかかる弔事用電飾造花１の平面図である。
【図４】本考案の実施の形態にかかる弔事用電飾造花１の断面模式図である。
【図５】本考案の実施の形態にかかる弔事用電飾造花１に用いられるＬＥＤ１００の構造を説明するための説明図である。
【図６】ＬＥＤ１００の各々のＬＥＤチップに電力を供給するタイミングを示すタイミングチャートである。
【符号の説明】
【００３９】
１      弔事用電飾造花
２      花弁部
３      発光部
４      電源ユニット
１１    花弁部材
１２    葉部材
１３    ユニット本体
１４    蓋
１５    電源スイッチ
１６    電池
１７    開口部
１００  ＬＥＤ
１０１  赤（Ｒ）のＬＥＤチップ
１０２  緑（Ｇ）のＬＥＤチップ
１０３  青（Ｂ）のＬＥＤチップ
１１１  赤（Ｒ）のＬＥＤ用電極
１１２  緑（Ｇ）のＬＥＤ用電極
１１３  青（Ｂ）のＬＥＤ用電極
１１４  共通電極
１１５  ワイヤー
１１６・１１７  リードフレーム
【図４】
0003123841.tif 000003
【図５】
0003123841.tif 000004
【図６】
0003123841.tif 000005
【図１】
0003123841.tif 000006
【図２】
0003123841.tif 000007
【図３】
0003123841.tif 000008